(57)【要約】      （修正有）【課題】篆刻の前段階の作業についての利用者の手間をできるだけ省くことができる篆刻用印材を提供する。【解決手段】シート１１に書かれた印稿１２が転写できる程度の粘着性を持った固形粘着部１３と、固形粘着部１３を１面に有する印材１０と、を含む篆刻用印材を用いる。また、固形粘着部１３がローソクの材料である篆刻用印材をもちいる。シート１１がトレーシングペーパーである篆刻用印材を用いる。印稿１２は、鉛筆によって作成されたものである篆刻用印材を用いる。また、固形粘着部１３が透明、または、半透明である篆刻用印材を用いる。【選択図】図１
0003197641.tif 000002
【実用新案登録請求の範囲】
【請求項１】
シートに書かれた印稿が転写できる程度の粘着性を持った固形粘着部と、
前記固形粘着部を１面に有する印材と、を含む篆刻用印材。
【請求項２】
前記固形粘着部がローソクまたはロー材料である請求項１記載の篆刻用印材。
【請求項３】
前記固形粘着部がダルマートである請求項１記載の篆刻用印材。
【請求項４】
前記印稿は、鉛筆によって作成されたものである請求項１〜３のいずれか１項に記載の篆刻用印材。
【請求項５】
前記固形粘着部が赤色、または、黄色である請求項１〜４のいずれか１項に記載の篆刻用印材。
【考案の詳細な説明】
【技術分野】
【０００１】
本考案は、印稿からの転写が簡単にできるようにした篆刻用印材に関するものである。
【背景技術】
【０００２】
篆刻をする場合、印材に文字等を書き入れる字入れ作業が必要である。しかし、字入れは逆字で行わなければならないため、墨でトレーシングペーパーなどの透明紙に所望の文字等の印稿を書いた後、トレーシングペーパーの文字を裏返して印稿を逆字に直して印材の印面に書き写す必要があった。
【０００３】
そして、未熟練者の場合には、より簡単に字入れができるようにトレーシングペーパーの文字を直接印面に転写してその転写文字を篆刻することが行われている。
しかし、印材の素材は石材であるのでトレーシングペーパーに書かれた文字を写しとり難いものであった。そこで、通常は文字等を書いた後、それをコピーし、そのコピーした用紙のコピー面を印面に置き、裏面より油性のペンで薄く塗った後、こすり付けることによって、油性ペンに含まれているシンナーによりコピーのトナーが溶け文字を転写させていた。
【０００４】
このように煩わしい手間が必要となるため完成前に挫折してしまう者も少なからずあった。
このようなことから、篆刻用布地印字台や篆刻用転写液が開発されている。
【０００５】
しかし、前者の場合、結局は鏡体に写し取った文字等を見ながら印面に布字することとなり未熟練者には容易なことではない。
また、後者の場合は、クリヤーフィルムに着色液で文字を写し取り、次に印面に着色液を塗布し、その着色液が乾いてからクリヤーフィルムの文字を印面に押し当て文字を印面に付着させる必要があり、非常に手間がかかるものである。
【先行技術文献】
【特許文献】
【０００６】
【特許文献１】実用新案登録第２５７９１７０号公報
【特許文献２】特開平９−１５７５６８号公報
【考案の概要】
【考案が解決しようとする課題】
【０００７】
本考案は、上述した従来技術の欠点を除くためになされたものである。即ち、篆刻の前段階の作業についての利用者の手間をできるだけ省くことをその目的とするものである。
このようにすることによって、初心者にも篆刻を遊び感覚で楽しむことができ、篆刻の普及をも図ることが期待できるものである。
【課題を解決するための手段】
【０００８】
上記課題を解決するため、シートに書かれた印稿が転写できる程度の粘着性を持った固形粘着部と、前記固形粘着部を１面に有する印材と、を含む篆刻用印材を用いる。
【考案の効果】
【０００９】
本考案は、このような構成であるので、シートに文字（印稿）を作成し、印稿を裏返しにして印稿部分を印材の印面にこすり付けることによって容易に印稿を印面（印材の１面）に転写することができる。その後、印材の印稿の部分を削って、篆刻用印を簡単に作製できる。
【図面の簡単な説明】
【００１０】
【図１】（ａ）〜（ｄ）実施の形態のプロセスを説明する図
【図２】実施の形態のプロセスを説明する図
【図３】（ａ）〜（ｄ）実施の形態のプロセスを説明する図
【図４】（ａ）固形粘着部の場合の印材断面（ｂ）液体粘着部の場合の印材断面
【考案を実施するための形態】
【００１１】
（実施の形態）
図１（ａ）〜図１（ｄ），図２を用いて、一実施の形態を説明する。
（１） 印材１０を準備する。直方体の形状である。
【００１２】
（２）固形粘着剤を印材１０へ塗布し、固形粘着部１３を形成する。
（３）シート１１に文字（印稿１２）を作成する。
（４）固形粘着部１３上にシート１１の文字部分を接触させ、転写する。
【００１３】
（５）シート１１を剥がし、石材１０を刻る。
＜印材１０＞
印材は、石、セラミックスである。樹脂や硬いゴム状のもの場合でもよい。直方体でなくとも、１面として平面があればよい。
【００１４】
＜シート１１＞
シート１１は、Ａ４用紙（コピー用紙）でもよい。トレーシングペーパなどがよい。文字（印稿１２）が書き易く、しみすぎることがなければよい。透過性があればよい。透過性があれば、シート１１を固形粘着部１３に接触させる時に位置を調整しやすい。しかし、事前に折り目、印などをいれることで透過性がなくともよい。
【００１５】
＜文字（印稿１２）＞
文字は、記号や図形の場合もある。文字は鉛筆で書くのがよい。文字を上記（４）のところで固形粘着部１３へ転写するので、ＨＢよりＢなど濃いほどよい。
＜固形粘着部１３＞
固形粘着材を石材の１つの平面にこすりつけることで固形粘着部１３を形成する。ローソクが好ましい。固形のロー材料がよい。さらに、ダルマート（ダーマト）が好ましい。ダーマトは、色鉛筆で柔らかいもの、赤色、黄色がよい。石の色に対して色が選択できる。その他、粘性がある固体物であればよい。液状の印肉はよくない。液なので流れ、印稿が歪む。手にもついて、処理に困る。白色が好ましい。印稿１２が鉛筆の黒の場合が多く、白、赤、黄色の固形粘着部１３なら、わかりやすい。固形粘着部１３は、薄い膜状がよい。ローソク、ダーマトなど固形物を、印材１０の表面でこすると、薄く一層が形成される。その上からこすっても滑って、厚くならない。
液体でなく固体の粉状で付着している。
図４（ａ）に、固形粘着部の場合の印材断面、図４（ｂ）に液体粘着部の場合の印材断面を示す。固体粘着部１３は薄く均質に形成できる。そのため、移動することなく、安定に位置するのでよい。一方、液体粘着部１７は、薄く形成できず、不均質である。そのため、液体であるので、上からシート１１を乗せると、滲み、位置が変わる。シートを剥がしても位置が変わる。厚みが厚いところと薄いところで印稿１２の付着が変わる。
【００１６】
図３（ａ）〜図３（ｃ）は、図２の後のプロセスを書いている。図３（ａ）では、シート１１を透明としている。
図３（ａ）で、シート１１を固形粘着部１３に接触させる。このシート１１の裏面から爪などを加圧しながら移動させる。印稿を固形粘着部１３へ転写する。転写は、印稿１２のすべてでなくともよい。
【００１７】
図３（ｂ）で、図３（ａ）の後、転写された印稿１２の部分の石材１０を刻る。又は、印稿１２の部分を残して、それ以外を刻る。つまり、凸部として印稿１２を残すこともできる。
結果、図３（ｃ）で示すように、印稿１２に相当する凹部１５ができる。
なお、シート１１には、印材頂上上面相当部１６を裏表に設け、その中に印稿１２を作成してもよい。この印材頂上上面相当部１６は、印材１０の固形粘着部１３に接触する部分である。この部分を線などで囲ってもよい。あらかじめ、石材１０により、軽く折り目をこの範囲に設けてもよい。さらに、初めに、印材１０の刻むところシート１１を置き、印材１０の周囲を鉛筆などでなぞることで、印材頂上上面相当部１６を形成してもよい。
【００１８】
このようにすれば、シート１１の透過性がなくともよい。
【産業上の利用可能性】
【００１９】
篆刻用印材として、広くいろいろな分野で使用できる。また、版画としても利用できる。
【符号の説明】
【００２０】
１…範囲、１０…印材，石材、１１…シート、１２…印稿、１３…固形粘着部、１５…凹部、１６…印材頂上上面相当部、１７…液体粘着部
【図１】
0003197641.tif 000003
【図２】
0003197641.tif 000004
【図３】
0003197641.tif 000005
【図４】
0003197641.tif 000006